(57)【要約】【課題】本体のディスプレイよりも増設モニタのディスプレイの画面サイズが小さくても増設モニタの画面に表示される文字列やアイコンの容易な識別を可能とする。【解決手段】地図表示、アイコン表示、文字フォントサイズに関して、増設モニタの表示画面サイズに好適となるように変更処理を実行し（Ｓ５１３〜Ｓ５１５、Ｓ５２３〜Ｓ５２５、Ｓ５３３〜Ｓ５３５）、当該変更処理後の画像データを増設モニタへ転送する（Ｓ５１６）。【選択図】図５
2010060454.tif 000002
【特許請求の範囲】
【請求項１】
主ディスプレイ装置および副ディスプレイ装置に画像データを出力する画像出力装置であって、
前記副ディスプレイ装置の画面サイズ情報を取得するサイズ取得手段と、
前記サイズ取得手段により取得された画面サイズ情報を入力し、前記副ディスプレイ装置に表示される文字および／または図形の視認性が良好であるか否かを所定のアルゴリズムに基づいて判定する判定手段と、
前記判定手段により否定判定がなされた場合には、文字および／または図形の表示形態を所定の表示形態に変更する表示変更手段とを備えることを特徴とする画像出力装置。
【請求項２】
請求項１に記載の画像出力装置において、
前記表示変更手段は、文字および／図形について予め設定されている表示優先度に基づいて表示形態を変更することを特徴とする画像出力装置。
【請求項３】
請求項２に記載の画像出力装置において、
前記表示優先度はテーブルとして記憶することを特徴とする画像出力装置。
【請求項４】
請求項２または３に記載の画像出力装置において、
前記表示変更手段によって表示形態が変更される文字および／または図形は、前記表示優先度のうち所定の優先度を有する文字および／または図形に限定されることを特徴とする画像出力装置。
【請求項５】
請求項１乃至４のいずれか１項に記載の画像出力装置において、
前記表示変更手段は、予め定めた文字列について、それぞれの文字列に対応したアイコンへ変更することを特徴とする画像出力装置。
【請求項６】
請求項１乃至５のいずれか１項に記載の画像出力装置を備えたことを特徴とするナビゲーション装置。
【発明の詳細な説明】
【技術分野】
【０００１】
本発明は、主ディスプレイ装置および副ディスプレイ装置に画像データを出力する画像出力装置、ならびに、その画像出力装置を備えたナビゲーション装置に関する。
【背景技術】
【０００２】
ディスプレイ装置を搭載した前席用制御機と、当該前席用制御機から出力される画面表示データを表示する後席用ディスプレイ装置とから構成されるナビゲーション装置が知られている（特許文献１）。
【特許文献１】特開２００２−２４３４８３号公報
【発明の開示】
【発明が解決しようとする課題】
【０００３】
しかし、前席用制御機のディスプレイ装置と後席用ディスプレイ装置とでは、表示画面サイズが一致するとは限らない。後席用ディスプレイ装置の表示画面サイズが、前席用制御機のディスプレイ装置の表示画面サイズよりも小さい場合、前席用制御機のディスプレイ装置に画面表示する画像と同じ画像を後席用ディスプレイ装置に表示する際は解像度が低下するので、ユーザは、地名・交差点名称等の文字列や３−Ｄ表示等の緻密な図柄のアイコンを一瞥では識別しづらくなるという問題がある。
【課題を解決するための手段】
【０００４】
本発明は、主ディスプレイ装置および副ディスプレイ装置に画像データを出力する画像出力装置またはその画像出力装置を備えたナビゲーション装置であって、副ディスプレイ装置の画面サイズ情報を取得するサイズ取得手段と、サイズ取得手段により取得された画面サイズ情報を入力し、副ディスプレイ装置に表示される文字および／または図形の視認性が良好であるか否かを所定のアルゴリズムに基づいて判定する判定手段と、判定手段により否定判定がなされた場合には、文字および／または図形の表示形態を所定の表示形態に変更する表示変更手段とを備えることを特徴とする。
【発明の効果】
【０００５】
本発明によれば、主ディスプレイ装置の表示画面より小さな表示画面を有する副ディスプレイ装置の画面に表示されている文字列やアイコンを容易に識別することが可能となり、ユーザにとっての利便性が向上する。
【発明を実施するための最良の形態】
【０００６】
図１〜図６を参照して、本実施の形態による画像出力装置をナビゲーション装置に組み込んだ構成を説明する。
【０００７】
図１は、車両１に搭載したナビゲーション装置１０を示す。ナビゲーション装置１０は、本体１００および増設モニタ２００から構成されている。本体１００はディスプレイモジュールを備えており、そのＷＶＧＡ（Ｗｉｄｅ  Ｖｉｄｅｏ  Ｇｒａｐｈｉｃｓ  Ａｒｒａｙ）画面に画像を表示する。増設モニタ２００は、本体１００と有線通信方式または無線通信方式によって接続されており、本体１００から出力される画像データに基づいてディスプレイモジュールのＱＶＧＡ（Ｑｕａｒｔｅｒ  Ｖｉｄｅｏ  Ｇｒａｐｈｉｃｓ  Ａｒｒａｙ）画面に画像を表示する。
【０００８】
図２は、本実施の形態のナビゲーション装置１０における、本体１００のディスプレイモジュール１５０のＷＶＧＡ画面表示と、増設モニタ２００のディスプレイモジュール２５０のＱＶＧＡ画面表示を示す図である。なお、図２では両ディスプレイモジュールの表示画面を同一の面積で描いてある。
【０００９】
本体１００のディスプレイモジュール１５０のＷＶＧＡ画面には、地図が表示されており、地名表示の小さな文字列１５１や、３−Ｄ表示等の緻密な図柄のアイコン１５２が表示されている。前述の通り、増設モニタ２００は、本体１００から出力される画像データに基づいてディスプレイモジュール２５０のＱＶＧＡ画面に、本体１００のディスプレイモジュール１５０のＷＶＧＡ画面と同様に地図を表示する。しかし、ＱＶＧＡ画面の解像度（画面サイズ）はＷＶＧＡ画面よりもとても小さいため、地名表示の小さな文字列１５１や３−Ｄ表示等の緻密な図柄のアイコン１５２をそのまま表示しようとすると視認困難となる恐れがある。そこで、本実施の形態では、地名表示の小さな文字列は記号（国旗や地方自治体紋章）等によるアイコン２５１に置き換え、３−Ｄ表示等の緻密な図柄のアイコン１５２は簡略化したアイコン２５２に置き換えて表示する。
【００１０】
図３は、ナビゲーション装置１０のハードウェア全体構成を表すブロック図である。前述したように、ナビゲーション装置１０は本体１００および増設モニタ２００から構成される。本体１００のＣＰＵ１１０においては、現在地検出装置１２０およびユーザ入力装置１３０からの信号が入力される。現在地検出装置１２０とは車両の現在地を検出するための不図示のセンサ類であり、たとえば、ジャイロセンサ、ＧＰＳ（Ｇｌｏｂａｌ  Ｐｏｓｉｔｉｏｎｉｎｇ  Ｓｙｓｔｅｍ）センサ、車速センサを含む。ユーザ入力装置１３０は、たとえば、タッチパネル、パネル周辺の押ボタン式スイッチ、ジョイスティック、リモートコントローラである。
【００１１】
ＣＰＵ１１０は本体１００全体を制御する演算処理装置であり、ＣＰＵ１１０およびその周辺装置は互いにバスで接続されている。周辺装置は、主記憶装置１１５、補助記憶装置１４０、ディスプレイモジュール１５０、通信インタフェース１６０を含む。主記憶装置１１５は、ＣＰＵ１１０の作業エリアであるワークメモリや制御プログラムが格納されているプログラムメモリを有する。
【００１２】
補助記憶装置１４０は、ナビゲーション処理に使用する道路地図データやＰＯＩ（Ｐｏｉｎｔ  ｏｆ  Ｉｎｔｅｒｅｓｔ：観光地や各種施設）情報を格納する記憶装置である。補助記憶装置１４０としては、たとえば、ハードディスクドライブのほか、道路地図データが格納されたＣＤやＤＶＤ、フラッシュメモリ、その他の記録媒体、およびその読み出し装置であっても良い。
【００１３】
ディスプレイモジュール１５０は、ＣＰＵ１１０から出力される文字や図形を含む画像データを画面表示する。
【００１４】
通信インタフェース１６０は、ＣＰＵ１１０が、ディスプレイモジュール１５０へ出力する文字や図形を含む画像データ（たとえば、道路地図データ）と同様の画像データを、増設モニタ２００へ転送するために用いられる。
【００１５】
増設モニタ２００のＣＰＵ２１０においては、ユーザ入力装置２３０からの信号が入力される。ユーザ入力装置２３０は、本体１００のユーザ入力装置１３０と同様のユーザインタフェースを提供する。
【００１６】
ＣＰＵ２１０は、増設モニタ２００全体を制御する演算装置であり、ＣＰＵ２１０およびその周辺装置は互いにバスで接続されている。周辺装置は、主記憶装置２１５、補助記憶装置２４０、ディスプレイモジュール２５０、通信インタフェース２６０を含む。主記憶装置２１５は、本体１００の主記憶装置１１５と同様に構成される。
【００１７】
ディスプレイモジュール２５０は、本体１００のＣＰＵ１１０から通信インタフェース１６０；２６０を介してＣＰＵ２１０に送信された画像データを表示する。
【００１８】
図４のフローチャートを参照して、本体１００のＣＰＵ１１０が、増設モニタ２００のディスプレイモジュール２５０の画面に出力する画像データの生成および転送処理手順を説明する。以下の各ステップは、本体１００におけるＣＰＵ１１０のプログラム処理として実行される。
【００１９】
ステップＳ４０１では、ＣＰＵ１１０は、増設モニタ２００へのデータ転送処理プログラムを起動し、増設モニタ２００の接続を検索する処理を開始する。ステップＳ４０２にて、有線または無線によって接続された増設モニタ２００の有無を判定する。否定判定であれば、ステップＳ４０２の処理を繰り返す。肯定判定であれば、ステップＳ４０３にて、個体識別情報および画面サイズ情報を含む当該増設モニタ２００に関する情報を取得する。ステップＳ４０４にて、当該個体識別情報をキーに、増設モニタ２００が表示不可情報リストに登録されているか否かを判定する。増設モニタ２００が表示不可リストに登録されている場合、たとえば解像度が小さ過ぎる等の理由により、ＣＰＵ１１０は、当該増設モニタ２００の画面に表示するための画像データを転送することができない。
【００２０】
ステップＳ４０４において、肯定判定の場合、ステップＳ４２１にて、増設モニタ２００への「表示不可」を表示させるための画像データを転送する。ステップＳ４２２にて、増設モニタ２００への画像データ転送が終了すると、本処理手順を終了する。ステップＳ４０４において、否定判定の場合、図５の説明にて後述する「画面サイズ別処理」（ステップＳ４０５）が実行され、ステップＳ４０６にて、増設モニタ２００への画像データ転送が終了したか否かを判定する。まだ終了していない場合は、否定判定となり、ステップＳ４１１にて、本体１００におけるメニュー画面表示に対して、ユーザによるユーザ入力装置１３０を介した操作が実行されているか否かを判定する。否定判定であれば、本処理手順はステップＳ４０６へ戻る。肯定判定であれば、ステップＳ４１２にて、ＣＰＵ１１０は、増設モニタ２００への「メニュー操作中」の旨の通知画面の画像データを転送する。ステップＳ４１３にて、本体１００におけるメニュー画面に対するユーザによる操作が終了したか否かを判定する。否定判定であれば、当該操作が終了するまでステップＳ４１３を繰り返し実行する。肯定判定であれば、ステップＳ４１４にて、「画面サイズ別処理」（ステップＳ４０５）から継続していてまだ終了していない増設モニタ２００への画像データ転送を継続し、本処理手順はステップＳ４０６へ戻る。
【００２１】
「画面サイズ別処理」（ステップＳ４０５）から継続していた増設モニタ２００への画像データ転送が終了すると、ステップＳ４０６は肯定判定となり、ステップＳ４０７にて、ＣＰＵ１１０は、増設モニタ２００への「表示画像転送終了」の旨の通知画面の画像データを転送し、ステップＳ４０８にて、増設モニタ２００へのデータ転送処理プログラムを停止すると、本処理手順は終了する。
【００２２】
図５のフローチャートを参照して、図４のステップＳ４０５に該当する画面サイズ別処理を説明する。ステップＳ５０１にて、ＣＰＵ１１０は、増設モニタ２００の画面サイズが本体１００の画面サイズ（図１に示した例ではＷＶＧＡ）以上であるか否かを判定する。これは、ステップＳ４０３にて取得した当該増設モニタ２００に関する情報に含まれる画面サイズ情報に基づいて実行する。肯定判定であれば、ステップＳ５０６にて、増設モニタ２００へ本体１００で画面表示するものと同一の画像データを転送し、本画面サイズ別処理手順を終了する。
【００２３】
ステップＳ５０１にて、否定判定であれば、ステップＳ５１２にて、増設モニタ２００の画面サイズが本体１００の画面サイズよりも小さい第１の画面サイズ（たとえばＶＧＡ：Ｖｉｄｅｏ  Ｇｒａｐｈｉｃｓ  Ａｒｒａｙ）であるか否かを判定する。否定判定であれば、ステップＳ５２２にて、増設モニタ２００の画面サイズが第１の画面サイズよりも小さい第２の画面サイズ（たとえばＷＱＶＧＡ：Ｗｉｄｅ  Ｑｕａｒｔｅｒ  Ｖｉｄｅｏ  Ｇｒａｐｈｉｃｓ  Ａｒｒａｙ）であるか否かを判定する。さらに否定判定であれば、ステップＳ５３２にて、増設モニタ２００の画面サイズが第２の画面サイズよりも小さい第３の画面サイズ（たとえばＱＶＧＡ）であるか否かを判定する。
【００２４】
ステップＳ５１２にて、肯定判定であれば、地図画面の表示優先度を「高」に設定し、幅が１メートル以上の道路を表示する。同様に、ステップＳ５２２にて、肯定判定であれば、地図画面の表示優先度を「中」に設定し、幅が４メートル以上の道路を表示する。さらに、ステップＳ５３２にて、肯定判定であれば、地図画面の表示優先度を「低」に設定し、車両１に対する経路誘導にて選択されている道路および幹線道路のみを表示する。
【００２５】
ステップＳ５１３完了後、ステップＳ５１４にて、アイコン表示優先度を「大」に設定し、該当するアイコンの表示を変更する。具体的には、予めユーザによる初期設定や出荷時設定がされたアイコン表示優先度の高い順に配列したアイコン表示優先度リストに基づき、画面に表示された範囲に含まれるアイコンの上位７０％を表示する。なお、アイコン表示優先度リストは、例えば、コンビニエンスストア、ファーストフード、映画館といった業態別に表示用アイコンを分類し、コンビニエンスストアを高優先、ファーストフードを普通、映画館を低優先といった対応関係を定義するテーブルを含んでいる。当該テーブルの例を図６に示す。ステップＳ５２３完了後、ステップＳ５２４にて、アイコン表示優先度を「中」に設定し、該当するアイコンの表示を変更する。具体的には、アイコン表示優先度の高い順に配列したアイコン表示優先度リストに基づき、画面に表示された範囲に含まれるアイコンの上位４０％を表示する。このとき、３−Ｄ表示等の緻密な図柄のアイコン１５２を、平面的な表示に変更する等、全て簡略化したアイコン２５２に置き換えて表示する。ステップＳ５３３完了後、ステップＳ５３４にて、アイコン表示優先度を「小」に設定し、該当するアイコンの表示を変更する。具体的には、アイコン表示優先度の高い順に配列したアイコン表示優先度リストに基づき、画面に表示された範囲に含まれるアイコンの上位１０％を、全て簡略化したアイコン２５２に置き換えて表示する。
【００２６】
ステップＳ５１４完了後、ステップＳ５１５にて、文字列のフォントサイズ変更レベルを「小」に設定し、該当する文字列のフォントサイズを変更する。具体的には、表示対象の文字列を、交差点名称、主要道路名称、地名、および施設名称とし、フォントサイズを３ドット大きな値に変更して表示する。ステップＳ５２４完了後、ステップＳ５２５にて、文字列のフォントサイズ変更レベルを「中」に設定し、該当する文字列のフォントサイズを変更する。具体的には、表示対象の文字列を、交差点名称、および主要道路名称とし、フォントサイズを６ドット大きな値に変更して表示する。地名は国旗・地方自治体紋章に、施設名称は地図記号に、各々基づいた図柄のアイコン２５１に置き換えて表示する。ステップＳ５３４完了後、ステップＳ５３５にて、文字列のフォントサイズ変更レベルを「大」に設定し、該当する文字列のフォントサイズを変更する。具体的には、表示対象の文字列を、交差点名称のみとし、フォントサイズを１０ドット大きな値に変更して表示する。主要道路名称は国道番号・県道番号の表示された道路標識に、地名は国旗・地方自治体紋章に、施設名称は地図記号に、各々基づいた図柄のアイコン２５１に置き換えて表示する。
【００２７】
なお、増設モニタ２００の小さな表示画面サイズにフォントサイズを大きな値に変更して文字列を表示した場合、一部の文字列をアイコン２５１に置き換えて表示したとしても、当該置き換え非対象の文字列表示が当該画面上で占有する比率（以下、文字表示比率と称する）が、本体１００の表示画面と比べて高まって、視認性に影響を及ぼす可能性がある。当該置き換え非対象の文字列に対して、予めユーザによる初期設定や出荷時設定がされた文字列表示優先度テーブルに基づき、優先度の高い順に文字列を表示し、全ての文字列表示が当該画面上で占有するドット合計値が所定値以下となるようにすることが好ましい。文字列表示優先度テーブルは、例えば、経路誘導対象道路上の交差点名称を高優先、他の文字列を低優先といった対応関係を定義するテーブルである。
【００２８】
ステップＳ５１５、ステップＳ５２５、ステップＳ５３５のいずれであっても完了すると、ステップＳ５１６にて、増設モニタ２００へ表示を変更した画像を転送し、本画面サイズ別処理手順を終了する。
【００２９】
ステップＳ５３２にて、否定判定であれば、ステップＳ５４２にて、ＣＰＵ１１０は、増設モニタ２００への「表示不可」の旨の通知画面の画像データを転送し、ステップＳ５４３にて、個体識別情報をキーに、当該増設モニタ２００を表示不可情報リストに登録する。ステップＳ５４４にて、増設モニタ２００へのデータ転送処理プログラムを停止すると、本画面サイズ別処理手順を含む、本体１００のＣＰＵ１１０が、増設モニタ２００のディスプレイモジュール２５０の画面に出力する画像データの生成および転送処理手順は終了する。
【００３０】
以上説明した実施の形態のナビゲーション装置１０は次のような作用効果を奏する。
（１）増設モニタ２００のディスプレイモジュール２５０の表示画面サイズが本体１００のディスプレイモジュール１５０よりも小さい場合であって、かつ予め設定されている判定アルゴリズムに基づいて視認性が良好でないと判定された場合には、本体１００のＣＰＵ１１０が、地図表示、アイコン表示、文字フォントサイズに関して、増設モニタ２００のディスプレイモジュール２５０の表示画面サイズに好適となるように変更処理を実行した画像データを出力し、増設モニタ２００へ転送するように構成した。これにより、ユーザは、表示画面サイズの小さい増設モニタ２００のディスプレイモジュール２５０の表示画面を見る際に、表示されている文字列やアイコンを容易に識別できるため、利便性が高い。
（２）本体１００のＣＰＵ１１０は、増設モニタ２００毎に、地図表示、アイコン表示、文字フォントサイズに関して、当該増設モニタ２００のディスプレイモジュール２５０の表示画面サイズに好適となるように変更処理を実行した画像データを出力し、当該増設モニタ２００へ転送するように構成した。これにより、ユーザは、同時に複数かつ表示画面サイズの相異なるディスプレイモジュール２５０を有する増設モニタ２００を接続して利用することができる。
（３）増設モニタ２００のディスプレイモジュール２５０の表示画面サイズが本体１００のディスプレイモジュール１５０よりも小さい場合であって、かつ予め設定されている判定アルゴリズムに基づいて視認性が良好でないと判定された場合には、本体１００のＣＰＵ１１０が、地図表示、アイコン表示、文字列表示に関して、増設モニタ２００のディスプレイモジュール２５０の表示画面サイズに好適となるように優先度の高いものに限定して変更処理を実行した画像データを出力し、増設モニタ２００へ転送するように構成した。これにより、表示画面サイズの小さい増設モニタ２００のディスプレイモジュール２５０の表示画面に好適な量の地図表示、アイコン表示、文字列表示となるため、視認性およ利便性が高い。
【００３１】
以上説明したナビゲーション装置１０を次のように変形することもできる。
（１）上述の図１においては、ナビゲーション装置１０を構成する一方の機器である本体１００を車両１の前席側に設置し、他方の機器である増設モニタ２００を後席側に設置した。増設モニタ２００は、ナビゲーション装置１０を構成する機器に限らず、本体１００から通信を介して転送されてくる画像を表示するための通信インタフェース２６０およびディスプレイモジュール２５０を備えた他の機器であっても良い。たとえば、ＰＮＤ（Ｐｅｒｓｏｎａｌ  Ｎａｖｉｇａｔｉｏｎ  Ｄｅｖｉｃｅ）、ＰＤＡ（Ｐｅｒｓｏｎａｌ  Ｄｉｇｉｔａｌ  Ａｓｓｉｓｔａｎｔ）、携帯電話機、ポータブルパソコン、ポータブルゲーム機、携帯型音楽プレーヤー等の各種情報端末機器であっても良い。
（２）上述の図５においては、アイコン表示優先度を「中」または「低」に設定した場合、簡略化したアイコン２５２を表示することとして説明した。簡略化したアイコン２５２としては、たとえば、○○デパート、△△デパートといった店舗名に関わらず業態単位で共通のマークを用いることとしても良いし、百貨店、スーパーマーケット、コンビニエンスストアといった業態に関わらず小売業という業種単位で共通のマークを用いることとしても良い。
（３）上述の図５においては、文字列のフォントサイズ変更レベルを「中」または「大」に設定した場合、一部の文字列をアイコン２５１に置き換えて画面表示することとして説明した。ユーザが画面上にてアイコン２５１を選択することを契機として、増設モニタ２００のＣＰＵ２１０が当該文字列をポップアップ表示できるように、当該文字列を置き換えずにアイコン２５１を付加することとしても良い。あるいは、アイコン２５１に置き換えて表示せずに、当該文字列を削除して表示しないこととしても良い。
（４）上述の説明においては、画面サイズに応じて増設モニタ２００における表示態様を変更したが、本体１００と増設モニタ２００との間の画像データ転送速度に応じて変更することとしても良い。また、増設モニタ２００に予め入力されている表示態様変更設定に応じて変更することとしても良い。
【００３２】
上述した各実施の形態および変形例は、それぞれ組み合わせてもよい。なお、以上の説明はあくまで一例であり、発明を解釈する際、上記の実施形態の記載事項と特許請求の範囲の記載事項の対応関係になんら限定も拘束もされない。
【図面の簡単な説明】
【００３３】
【図１】一実施の形態によるナビゲーション装置を搭載した車両を示す図である。
【図２】一実施の形態によるナビゲーション装置における、本体のＷＶＧＡ画面表示と、増設モニタのＱＶＧＡ画面表示を示す図である。
【図３】一実施の形態によるナビゲーション装置のハードウェア全体構成を表すブロック図である。
【図４】本体１００のＣＰＵ１１０から、増設モニタ２００の画面に出力する画像データの生成および転送処理手順を示すフローチャートである。
【図５】図４のステップＳ４０５における画面サイズ別処理を詳細に示したフローチャートである。
【図６】業態別アイコン表示優先度定義テーブルを説明する図である。
【符号の説明】
【００３４】
１  車両
１０  ナビゲーション装置                  １００  本体
１１０、２１０  ＣＰＵ                    １１５、２１５  主記憶装置
１２０  現在地検出装置                    １３０、２３０  ユーザ入力装置
１４０、２４０  補助記憶装置              １５０、２５０  ディスプレイモジュール
１５１  地名表示の小さな文字列            １５２  緻密な図柄のアイコン
１６０、２６０  通信インタフェース        ２００  増設モニタ
２５１  アイコン                          ２５２  簡略化したアイコン
【図１】
2010060454.tif 000003
【図２】
2010060454.tif 000004
【図３】
2010060454.tif 000005
【図４】
2010060454.tif 000006
【図５】
2010060454.tif 000007
【図６】
2010060454.tif 000008